(57)【要約】【課題】本発明は、ホストコンピュータに接続される画像表示装置の台数が増大したときのケーブルに係るコスト等の増大を効果的に抑止できる画像信号伝送システムおよび画像表示システムの提供。【解決手段】ホストコンピュータ１からの画像信号を光信号に変換する送信ユニット４と、ディスプレー１０等の夫々について設けられ、送信ユニット４から送出された光信号を中継するとともに、前記光信号を画像信号に変換してディスプレー１０等に入力する中継ユニット９等と、送信ユニット４と中継ユニット９等とを直列に接続する光ファイバケーブル１４と、を備え、中継ユニット９等は、前位に隣接する中継ユニットまたは送信ユニット４から光ファイバケーブル１４を介して入力された光信号を２つに分配し、そのうちの一方を次位に隣接する中継ユニットに送出するとともに、他方を画像信号に変換してディスプレーに送出する画像信号伝送システム。【選択図】図１
2009182821.tif 000002
【特許請求の範囲】
【請求項１】
ホストコンピュータから送出された画像信号を複数のディスプレーに伝送する画像信号伝送システムであって、
前記画像信号を光信号に変換する送信ユニットと、
前記複数のディスプレーの夫々について設けられ、前記送信ユニットから送出された光信号を画像信号に変換して前記ディスプレーに入力する中継ユニットと、
を備え、
前記送信ユニットと前記複数の中継ユニットとは光伝送路によって直列に接続されているとともに、
前記中継ユニットは、前記光伝送路を介して入力された光信号を２つに分配し、そのうちの一方を次位に隣接する中継ユニットに前記光伝送路を通じて送出するとともに、他方を画像信号に変換して前記ディスプレーに送出することを特徴とする画像信号伝送システム。
【請求項２】
前記中継ユニットは、入力された光信号を画像信号に変換する光／電気変換部と、
前記光電気変換部で変換された画像信号を２つに分配する画像信号分配部と、
前記画像信号分配部で２つに分配された画像信号の一方を光信号に変換して次位に隣接する中継ユニットに送出する電気／光変換部と、
を備え、
前記ディスプレーには前記画像信号分配部で分配された画像信号のうちの他方が入力される請求項１に記載の画像信号伝送システム。
【請求項３】
前記中継ユニットは、
入力された光信号を２つに分配する光信号分配部と、
前記光信号分配部で分配された光信号の一方を増幅して次位に隣接する中継ユニットに送出する光信号増幅部と、
前記前記光信号分配部で分配された光信号の他方を画像信号に変換してディスプレーに入力するための光／電気変換部と、
を備える請求項１に記載の画像信号伝送システム。
【請求項４】
ホストコンピュータから各ディスプレーの動作状態を制御するために送出される制御信号を各中継ユニットに伝送する制御信号伝送路を備え、各中継ユニットは前記制御信号伝送路によっても直列に接続されている請求項１〜３の何れか１項に記載の画像信号伝送システム。
【請求項５】
前記制御信号は電気信号であり、前記制御信号伝送路は電気信号を伝送する電気ケーブルである請求項４に記載の画像信号システム。
【請求項６】
画像信号を送出するホストコンピュータと、
前記画像信号に係る画像が表示される複数のディスプレーと、
前記ホストコンピュータから送出された画像信号を各ディスプレーに伝送する請求項１〜５の何れか１項に記載の画像信号伝送システムと、
を備えていることを特徴とする画像表示システム。
【請求項７】
前記ホストコンピュータは、アドレスの付された制御信号を送出するとともに、
前記画像信号伝送システムの備える中継ユニットには個別にアドレスが設定され、しかも前記中継ユニットは、
入力された制御信号に付されたアドレスと中継ユニットに設定されたアドレスとが同一か否かを判定するアドレス判定部と、
前記アドレス判定部でアドレスが同一であると判断された場合、制御信号の種類を判別する信号判定部と、前記信号判定部における制御信号の判別結果に基いてディスプレーの動作状態を制御するディスプレー動作制御部と、
を有し、
前記ホストコンピュータと各中継ユニットとは前記制御信号を伝送する制御信号伝送路で直列に接続されている請求項６に記載の画像表示システム。
【請求項８】
前記ホストコンピュータから送出される制御信号は、前記ディスプレーの動作状態を、画像を表示する動作モードと、動作モード時よりも少ない電力で動作するともに画像を表示しない待機モードとの何れか一方に設定するモード設定信号を包含する請求項７に記載の画像表示システム。
【発明の詳細な説明】
【技術分野】
【０００１】
本発明は、画像信号伝送システムおよび画像表示システムに関する。
【背景技術】
【０００２】
ＤＶＩ（Digital Visual Interface）などのデジタル画像信号により、ホストコンピュータから液晶ディスプレーやプラズマディスプレーなどの画像表示装置に画像信号を伝送する装置において、ＤＶＩ信号を光信号に変換して伝送する信号伝送装置がある（特許文献１）。
【０００３】
前記信号伝送装置は、ホストコンピュータに搭載されたＤＶＩ信号処理基板から画像信号として送出されたＤＶＩ信号を光信号に変換する送信モジュールと、前記送信モジュールから送出された光信号を受信してＤＶＩ信号に変換して画像表示装置に入力する受信モジュールと、前記送信モジュールと受信モジュールとを接続する光ファイバケーブルと、ホストコンピュータから送出された制御信号を画像表示装置に伝送するケーブルとを備える。
【０００４】
前記信号伝送装置により、それまでの金属ケーブルでは５ｍ程度が限界であったＤＶＩ画像信号を１ｋｍ以上の距離にわたって伝送することが可能になった。
【０００５】
また、１対１で接続された送受信モジュールの制御方法であって、受信モジュールにおいて通常電力動作モードを示すコマンドを受信したときは、受信モジュールを通常電力動作モードで作動させ、省電力動作モードを示すコマンドを受信したときは、受信モジュールを省電力動作モードで動作させる方法がある（特許文献２）。
【特許文献１】特開２００５−０５１７３０号公報
【特許文献２】特開２００７−０１３５０４号公報
【発明の開示】
【発明が解決しようとする課題】
【０００６】
しかしながら、１台のホストコンピュータで複数の画像表示装置に画像を表示させようとする場合において、送信モジュールと受信モジュールとを画像表示装置の台数分だけ用意し、送信モジュールと受信モジュールとを１対１で光ファイバケーブルで接続するとともに、ホストコンピュータからのＤＶＩ信号をＤＶＩ分配装置で分配してこれらの送信モジュールに入力して各画像表示装置に画像を表示させようとすると、光ファイバケーブルおよびホストコンピュータから各画像表示装置に制御信号を送出するケーブルが、夫々画像表示装置の台数分だけ必要になる。
【０００７】
したがって、ホストコンピュータに接続される画像表示装置の台数が増大するとともに、光ファイバケーブルやケーブルに係るコストや敷設する際の配管スペース、工事における工数が増大するという問題があった。
【０００８】
本発明は、上記問題を解決すべく成されたもので、ホストコンピュータに接続される画像表示装置の台数が増大したときの、光ファイバケーブルやケーブルに係るコストや敷設する際の配管スペース、工事における工数の増大を効果的に抑止できる画像信号伝送システムおよび画像表示システムの提供を目的とする。
【課題を解決するための手段】
【０００９】
請求項１に記載の発明は、ホストコンピュータから送出された画像信号を複数のディスプレーに伝送する画像信号伝送システムにおいて、前記画像信号を光信号に変換する送信ユニットと、前記複数のディスプレーの夫々について設けられ、前記送信ユニットから送出された光信号を画像信号に変換して前記ディスプレーに入力する中継ユニットと、を備え、前記送信ユニットと前記複数の中継ユニットとが光伝送路によって直列に接続されているとともに、前記中継ユニットが、前記光伝送路を介して入力された光信号を２つに分配し、そのうちの一方を次位に隣接する中継ユニットに前記光伝送路を通じて送出するとともに、他方を画像信号に変換して前記ディスプレーに送出することを特徴とする。
【００１０】
請求項２に記載の発明は、請求項１に記載の画像信号伝送システムにおいて、前記中継ユニットが、入力された光信号を画像信号に変換する光／電気変換部と、前記光電気変換部で変換された画像信号を２つに分配する画像信号分配部と、前記画像信号分配部で２つに分配された画像信号の一方を光信号に変換して次位に隣接する中継ユニットに送出する電気／光変換部と、を備え、前記ディスプレーには前記画像信号分配部で分配された画像信号のうちの他方が入力されることを特徴とする。
【００１１】
請求項３に記載の発明は、請求項１に記載の画像信号伝送システムにおいて、前記中継ユニットが、入力された光信号を２つに分配する光信号分配部と、前記光信号分配部で分配された光信号の一方を増幅して次位に隣接する中継ユニットに送出する光信号増幅部と、前記前記光信号分配部で分配された光信号の他方を画像信号に変換してディスプレーに入力するための光／電気変換部と、を備えることを特徴とする。
【００１２】
請求項４に記載の発明は、請求項１〜３のいずれか１項に記載の画像信号伝送システムにおいて、ホストコンピュータから送出される制御信号を各中継ユニットに伝送する制御信号伝送路を備え、各中継ユニットが前記制御信号伝送路によっても直列に接続されていることを特徴とする。
【００１３】
請求項５に記載の発明は、請求項４に記載の画像信号伝送システムにおいて、前記制御信号は画像信号であり、前記制御信号伝送路は前記画像信号を伝送するためのケーブルであることを特徴とする。
【００１４】
請求項６に記載の発明は、画像表示システムにおいて、画像信号を送出するホストコンピュータと、前記画像信号に係る画像が表示される複数のディスプレーと、前記ホストコンピュータから送出された画像信号を光信号に変換して各ディスプレーに伝送する請求項１〜４のいずれか１項に記載の画像信号伝送システムと、を備えることを特徴とする。
【００１５】
請求項７に記載の発明は、請求項６に記載の画像表示システムにおいて、前記ホストコンピュータは、アドレスの付された制御信号を送出するとともに、前記画像信号伝送システムの備える中継ユニットには個別にアドレスが設定され、しかも前記中継ユニットは、入力された制御信号に付されたアドレスと中継ユニットに設定されたアドレスとが同一か否かを判定するアドレス判定部と、前記アドレス判定部でアドレスが同一であると判断された場合、制御信号の種類を判別する信号判定部と、前記信号判定部における制御信号の判別結果に基いてディスプレーの動作状態を制御するディスプレー動作制御部と、を有し、前記ホストコンピュータと各中継ユニットとは前記制御信号を伝送する制御信号伝送路で直列に接続されていることを特徴とする。
【００１６】
請求項８に記載の発明は、請求項７に記載の画像表示システムにおいて、前記ホストコンピュータから送出される制御信号は、前記ディスプレーの動作状態を、画像を表示する動作モードと、動作モード時よりも少ない電力で動作するともに画像を表示しない待機モードとの何れか一方に切り替える信号を包含することを特徴とする。
【発明の効果】
【００１７】
請求項１の発明によれば、ホストコンピュータと送信ユニットとを１本のケーブルで接続し、送出ユニットと中継ユニット、および隣接する２つの中継ユニット同士を１本の光伝送路で接続することにより、画像信号伝送システムが構成できる。
【００１８】
したがって、各中継ユニットを光伝送路で送信ユニットに並列に接続する場合に比較して光ファイバケーブルやケーブルに係るコストや敷設する際の配管スペース、工事における工数の増大を効果的に抑えることができる。
【００１９】
請求項２の発明によれば、各中継ユニットでは入力された光信号を光／電気変換部で画像信号に変換したのちに２つに分配しているから、光信号を分配するための光信号分配器は不要である。
【００２０】
請求項３の発明によれば、各中継ユニットに設けられる光／電気変換部としては、分配された光信号を画像信号に変換してディスプレーに入力するためのものが１個あればよいから、入力された光信号を画像信号に変換してから分配する形態の中継ユニットを備える画像信号伝送システムに比較して中継ユニットの構成が簡略化でき、したがってより安価になる。
【００２１】
請求項４の発明によれば、ホストコンピュータと各中継ユニットとは制御信号伝送路によって個別には接続されていないにも拘らず、ホストコンピュータからの制御信号によって各ディスプレーを個別に制御できる。したがって、ホストコンピュータと各中継ユニットとは制御信号伝送路によって個別には接続する形態の画像信号伝送システムとは異なり、ホストコンピュータと各中継ユニットとを制御信号伝送で接続することによるケーブル敷設コストや配管スペース、工事の工数の大幅な増大を回避できる。
【００２２】
請求項５の発明によれば、ホストコンピュータから送出された制御信号は、電気信号のまま各中継ユニットに伝送される。したがって、ホストコンピュータから送出された制御信号を光信号に変換するための電気／光変換ユニットを送信ユニット内に設ける必要がなく、また、各中継ユニットにおいても光信号として伝送されてきた制御信号を電気信号に再変換するための光／電気変換ユニットを設ける必要もない。故に、画像信号伝送システムの構成が複雑になるのを抑えることができる。
【００２３】
請求項６に記載の発明によれば、ホストコンピュータと送信ユニットとを１本のケーブルで接続し、送出ユニットと中継ユニット、および隣接する２つの中継ユニット同士を１本の光伝送路で接続し、各中継ユニットにディスプレーを接続することにより、画像表示システムが構成できる。
【００２４】
したがって、各中継ユニットを光伝送路で送信ユニットに並列に接続して画像表示システムを構成する場合に比較して光ファイバケーブルやケーブルに係るコストや敷設する際の配管スペース、工事における工数の増大を効果的に抑えることができる。
【００２５】
請求項７に記載の発明によれば、ホストコンピュータと各中継ユニットとは光伝送路またはケーブルで個別に接続されていないにも拘らず、前記ホストコンピュータからアドレスを付した制御信号を送出することにより、各ディスプレーを個別に制御できる。
【００２６】
請求項８に記載の発明によれば、ホストコンピュータは、アドレスを付したモード設定信号を送出することにより、前記アドレスが付された中継ユニットに接続されたディスプレーの動作状態を動作モードおよび待機モードの何れか一方に設定できる。したがって、各ディスプレーの動作状態を個別に設定できる上、画像を表示しないディスプレーにおいては消費電力を節減できる。
【発明を実施するための最良の形態】
【００２７】
１．実施形態１
本発明の画像表示装置の一例である画像表示システム１００について以下に説明する。
画像表示システム１００は、図１に示すように、ＤＶＩ信号（画像信号）および制御信号を送出するホストコンピュータ１と、ホストコンピュータ１から送出されたＤＶＩ信号を光信号に変換する送信ユニット４と、１番目のディスプレーであるディスプレー１０が接続された中継ユニット９、２番目のディスプレーであるディスプレー１９が接続された中継ユニット１７と、３番目のディスプレーであるディスプレー２２が接続された中継ユニット２０と、４番目のディスプレーであるディスプレー２５が接続された中継ユニット２３と、Ｎ番目（Ｎは５以上の整数である。）のディスプレーであるディスプレー２８が接続された中継ユニット３０とを備える。中継ユニット９、１７、２０、２３、および３０は、夫々ケーブル１１，１２によってディスプレー１０、１９、２２、２５、２８に接続されている。
【００２８】
ホストコンピュータ１と送信ユニット４とはケーブル２、３によって接続されている。ホストコンピュータ１から送出されたＤＶＩ信号はケーブル２を通じて送信ユニット４に入力され、制御信号は、ケーブル３を通じてホストコンピュータ１と送信ユニット４との間で授受される。
【００２９】
また、送信ユニット４にはＡＣアダプタ５が接続され、送信ユニット４は、このＡＣアダプタ５によって電力が供給される。
【００３０】
送信ユニット４は、制御信号を伝送するケーブルであるＵＴＰケーブル７（制御信号伝送路）とＤＶＩ信号が変換された光信号を伝送する光ファイバケーブル６（光伝送路）とによって中継ユニット９に接続されている。なお、ＵＴＰケーブル７と光ファイバケーブル６とは、敷設現場での施工の便を考慮して束ねられ、ケーブル束８とされている。また、中継ユニット９と中継ユニット１７、中継ユニット１７と中継ユニット２０、中継ユニット２０と中継ユニット２３、および中継ユニット２３と中継ユニット３０とは、夫々ＵＴＰケーブル１５と光ファイバケーブル１４とによって直列に接続されている。なお、中継ユニット９と中継ユニット１７とを接続するＵＴＰケーブル１５と光ファイバケーブル１４とは１本に束ねられてケーブル束１６とされ、中継ユニット１７と中継ユニット２０とを接続するＵＴＰケーブル１５と光ファイバケーブル１４とは１本に束ねられてケーブル束２６とされている。そして中継ユニット２０と中継ユニット２３とを接続するＵＴＰケーブル１５と光ファイバケーブル１４とは１本に束ねられてケーブル束２７とされ、中継ユニット２３と中継ユニット３０とを接続するＵＴＰケーブル１５と光ファイバケーブル１４とは１本に束ねられてケーブル束２９とされている。
【００３１】
中継ユニット９、１７、２０、２３、および３０には、夫々アドレス「０１」、「０２」、「０３」、「０４」、「０Ｎ」が設定されている。
【００３２】
中継ユニット９、１７、２０、２３、および３０は、図２および図３に示すように、夫々光ファイバケーブル６または光ファイバケーブル１４から入力された光信号をＤＶＩ信号に変換する光／電気変換回路４０（光／電気変換部）と、光／電気変換回路４０で光信号を変換したＤＶＩ信号を２つに分配するＤＶＩ信号分配回路４１（画像信号分配部）と、ＤＶＩ信号分配回路４１で２つに分配したＤＶＩ信号の一方を光信号に変換する電気／光変換回路４２（電気／光変換部）と、光／電気変換回路４０および電気／光変換回路４２への給電を停止したときに光／電気変換回路４０に光信号を導入する入口側導波路４４と電気／光変換回路４２からの光信号を導出する出口側導波路４５とを短絡する光スイッチ４３とを備える。
【００３３】
電気／光変換回路４２で変換された光信号は、出口側導波路４５および出口側導波路４５に接続された光ファイバケーブル１４を通じて次位の中継ユニットに入力される。また、ＤＶＩ信号分配回路４１で分配されたＤＶＩ信号は、ケーブル１１を通じてディスプレー１０、１９、２２、２５、２８に入力される。
【００３４】
中継ユニット９、１７、２０、２３、および３０は、更に、ＵＴＰケーブル７（１５）を介して入力されたホストコンピュータ１からの制御信号を受信する制御信号受送信回路４６、および制御信号受送信回路４６で受信した制御回路に基いて光／電気変換回路４０、電気／光変換回路４２、およびディスプレー１０．１９、２２、２５を制御する中継ユニット制御回路４７とを備える。
【００３５】
中継ユニット制御回路４７は、図５に示すように、制御信号受送信回路４６で受信した制御信号に付されたアドレスが中継ユニット９、１７、２０、２３、および３０に設定されたアドレスと一致するか否かを判定するアドレス判定回路５０（アドレス判定部）と、アドレス判定回路５０でアドレスが一致しないと判断したときに制御信号を次位の中継ユニットに向けて送出する制御信号送信回路５４と、アドレス判定回路５０でアドレスが一致すると判定されたときに前記アドレスが付された制御信号がディスプレー１０．１９、２２、２５において画像を表示させる動作モード信号か、それともディスプレー１０．１９、２２、２５を画像を表示することなく、動作モード時よりも低電力で動作させる待機モードに切り替える待機モード信号かを判定する信号判定回路５１と、信号判定回路５１において前記制御信号を動作モード信号と判断したときはケーブル１２を通じてディスプレー１０．１９、２２、２５を動作モードに移行させ、前記制御信号を待機モード信号と判断したときはケーブル１２を通じてディスプレー１０．１９、２２、２５を待機モードに切り替えるディスプレー動作回路５２と、信号判定回路５１において前記制御信号が待機モード信号であると判断したときに光／電気変換回路４０および電気／光変換回路４２への給電を停止させる給電停止回路５３とを備える。
【００３６】
なお、中継ユニット９、１７、２０、２３、および３０は、上述した構成以外に、図４に示すように、夫々光ファイバケーブル６または光ファイバケーブル１４から入力された光信号を２つに分配し、そのうちの一方を光ファイバケーブル１４を通じて次位の中継ユニットに送出する光信号分配回路４８（光信号分配部）と、光信号分配回路４８で２つに分岐された光信号の他方をＤＶＩ信号に変換してディスプレー１０，１９、２２、２５、２８に入力する光／電気変換回路４９（光／電気変換部）とを有する構成も可能である。なお、図面では省略されているが、光信号分配回路４８には、次位の中継ユニットに送出する光信号を増幅する光増幅器が挿入されていてもよい。
【００３７】
なお、図４に示す構成を有する中継ユニット９、１７、２０、２３、および３０においても、ＵＴＰケーブル７（１５）を介して入力されたホストコンピュータ１からの制御信号を受信する制御信号受送信回路４６、および制御信号受送信回路４６で受信した制御回路に基いて光／電気変換回路４０、電気／光変換回路４２、およびディスプレー１０．１９、２２、２５を制御する中継ユニット制御回路４７とを備える。中継ユニット制御回路４７の構成は図５に示す通りであるが、ホストコンピュータ１から入力された制御信号を信号判定回路５１において待機モード信号と判断したときは、給電停止回路５３は、光／電気変換回路４９への給電を停止する
【００３８】
以下、画像表示システム１００の作用について説明する。
【００３９】
ホストコンピュータ１からケーブル３を通じてＤＶＩ信号が、ケーブル２を通じて制御信号が送信ユニット４に送出されると、送信ユニットでは、入力されたＤＶＩ信号を光信号に変換し、光ファイバケーブル６を通じて中継ユニット９に送出される。一方、制御信号は送信ユニット４では何ら変換されること無く、ＵＴＰケーブル７を通じて中継ユニット９に入力される。
【００４０】
中継ユニット９に光信号が入力されると、前記光信号は、光／電気変換回路４０において電気信号、具体的にはＤＶＩ信号に変換される。そして、前記ＤＶＩ信号は、信号分配回路４１で２つに分配される。前記２つの分配されたＤＶＩ信号のうちの一方は、電気／光変換回路４２で再び光信号に変換され、光ファイバケーブル１４を通じて次位の中継ユニットである中継ユニット１７の光／電気変換回路４０に導入される。一方、前記２分割された他方は、ケーブル１１を通してディスプレー１０に入力される。
【００４１】
一方、ホストコンピュータ１からの制御信号は、アドレスとともに制御信号受送信回路４６で受信される。そして、図６のステップＳ２において、中継ユニット中継ユニット制御回路４７のアドレス判定回路５０で前記制御信号のアドレスが中継ユニット９に対応する「０１」か否かを判定する。
【００４２】
ステップＳ２でアドレスが「０１」であると判定されたときは、ステップＳ４において、信号判定回路５１で前記制御信号が動作モード信号か否かを判定する。
【００４３】
一方、ステップＳ２でアドレスが「０２」以外であると判断されたときは、ステップＳ１４において、制御信号送信回路５４は、制御信号を、ＵＴＰケーブル１５を通じて中継ユニット１７の制御信号受送信回路４６に送出する。
【００４４】
ステップＳ４で前記制御信号が動作モード信号であると判定されたときは、ステップＳ６において、ディスプレー動作回路５２はケーブル１２を通じてディスプレー１０に作動指令を入力し、ディスプレー１０を作動状態とする。これにより、ディスプレー１０においては、ケーブル１１を通じてＤＶＩ信号が入力されて画像が表示される。
【００４５】
一方、ステップＳ４で前記制御信号が動作モード信号以外の信号であると判定されたときは、ステップＳ８において、信号判定回路５１で前記制御信号が待機モード信号か否かを判定する。
【００４６】
ステップＳ８において、前記信号が待機モード信号であると判定されたときは、ステップＳ１０において、給電停止回路５３が、光／電気変換回路４０および電気／光変換回路４２への給電を停止させる。光／電気変換回路４０および電気／光変換回路４２への給電が停止すると、光スイッチがｏｎになり、入口側導波路４４と出口側導波路４５とが短絡される。したがって、中継ユニット９に導入された光信号は、そのまま次位の中継ユニットである中継ユニット１７に入力される。同時にステップＳ１２において、ディスプレー動作回路５２はケーブル１２を通じてディスプレー１０に待機モード指令を入力し、ディスプレー１０を待機モードに移行させる。
【００４７】
ステップＳ１４において、制御信号が中継ユニット１７に送出されたときは、中継ユニット１７の備える制御信号受送信回路４６および中継ユニット制御回路４７においてステップＳ２〜Ｓ１４が実行される。但し、ステップＳ２においては、制御信号のアドレスが「０２」か否かが判断される。
【００４８】
このように、実施形態１の画像表示システム１００においては、ホストコンピュータ１と送信ユニット４と中継ユニット９、１７、２０、２３、３０とが直列に接続され、換言すればカスケード状に接続されているにも拘らず、ホストコンピュータ１からの制御信号によって各中継ユニット９、１７、２０、２３、３０およびそれらに接続されたディスプレー１０、１９、２２、２５、２８を個別に制御できる。
【図面の簡単な説明】
【００４９】
【図１】図１は、実施形態１に係る画像表示システムの全体的な構成を示す説明図である。
【図２】図２は、実施形態１に係る画像表示システムの備える中継ユニットの構成を示す概略図である。
【図３】図３は、実施形態１に係る画像表示システムにおけるホストコンピュータ、送信ユニット、中継ユニット、およびディスプレーの接続を示す説明図である。
【図４】図４は、実施形態１に係る画像表示システムの備える中継ユニットの別の例について構成を示す概略図である。
【図５】図５は、図２または図５に示す中継ユニットの備える制御信号受送信回路および制御回路の構成を示す概略ブロック図である。
【図６】図６は、図２に示す中継ユニットにおける動作手順を示す流れ図である。
【符号の説明】
【００５０】
１    ホストコンピュータ
４    送信ユニット
６    光ファイバケーブル
７    ＵＴＰケーブル
８    ケーブル束
９    中継ユニット
１０  ディスプレー
１１  ケーブル
１１  ケーブル
１２  ケーブル
１４  光ファイバケーブル
１５  ＵＴＰケーブル
１６  ケーブル束
１７  中継ユニット
１９  ディスプレー
２０  中継ユニット
２２  ディスプレー
２３  中継ユニット
２５  ディスプレー
２６  ケーブル束
２７  ケーブル束
２８  ディスプレー
２９  ケーブル束
３０  中継ユニット
４０  光／電気変換回路
４１  信号分配回路
４２  電気／光変換回路
４３  光スイッチ
４４  入口側導波路
４５  出口側導波路
４６  制御信号受送信回路
４７  中継ユニット制御回路
４８  光信号分配回路
４９  光／電気変換回路
５０  アドレス判定回路
５１  信号判定回路
５１  制御信号送信回路
５２  ディスプレー動作回路
５３  給電停止回路
１００      画像表示システム
【図１】
2009182821.tif 000003
【図２】
2009182821.tif 000004
【図３】
2009182821.tif 000005
【図４】
2009182821.tif 000006
【図５】
2009182821.tif 000007
【図６】
2009182821.tif 000008